(57)【特許請求の範囲】
【請求項１】
地盤掘削時に施工される土留め壁の表面にグラウンドアンカーの頭部を突出させるとともに、グラウンドアンカー頭部の上方及び下方の土留め壁表面に腹起こしを取り付け、この腹起こし部分に前記グラウンドアンカー頭部を定着するために設けられた定着台座に於いて、前記上下の腹起こし間に定着台座の左右の側面板を固設するとともに、該左右の側面板間であって且つ前記腹起こしの内側位置である腹起こしの外表面をなす外側フランジより土留め壁側位置に支圧板を架設し、グラウンドアンカー頭部を左右の側面板間へ遊挿して前記支圧板に定着金具を介在させて定着させるように構成したことを特徴とする土留め用グラウンドアンカーの定着台座。
【発明の詳細な説明】
【０００１】
【発明の属する技術分野】
本発明は土留め用グラウンドアンカーの定着台座に関するものであり、特に、土留め壁の腹起こし部分に固設されるグラウンドアンカーの定着台座に関するものである。
【０００２】
【従来の技術】
地下構造物を構築する際、地盤掘削時に土留め壁とともにグラウンドアンカーを施工することが知られている。図３及び図４は従来のグラウンドアンカーの定着台座１を示し、土留め壁２の内側の地盤へＰＣ鋼材で形成したグラウンドアンカー３を打ち込み、その先端部にグラウト材を注入して地盤へ固定するとともに、土留め壁２の外側にグラウンドアンカー頭部３ａを突出させ、該グラウンドアンカー頭部３ａの上方及び下方にＨ型鋼の腹起こし４，４を取り付けてある。
【０００３】
前記定着台座１は、上下の腹起こし４，４の外側に立設された左右の側面板５，５と、該左右の側面板５，５間に架設された支圧板６とからなり、前記グラウンドアンカー頭部３ａが左右の側面板５，５間へ遊挿され、支圧板６に開穿した孔６ａに挿通される。そして、グラウンドアンカー３に緊張力を与えた後に、定着金具７にてグラウンドアンカー頭部３ａを支圧板６に定着する。更に、該定着台座１に箱型のカバー８を装着してグラウンドアンカー頭部３ａを保護する。
【０００４】
【発明が解決しようとする課題】
従来のグラウンドアンカーの定着台座は腹起こしの外側に固設されており、定着金具及びグラウンドアンカー頭部の余長部分を含めると、腹起こしからの突出量がかなり大きくなる。例えば、グラウンドアンカーの緊張力が１００トン程度の場合は、定着台座及びグラウンドアンカー頭部の余長部分が腹起こしから５５cm以上突出し、防護用のカバーを含めると更に突出量が大きくなる。このため、作業空間が狭くなって施工性が極端に低下する。
【０００５】
そこで、土留め用グランドアンカーを施工する際、グラウンドアンカー頭部の突出量を抑えて掘削作業に支障を来さないようにするために解決すべき技術的課題が生じてくるのであり、本発明はこの課題を解決することを目的とする。
【０００６】
【課題を解決するための手段】
本発明は上記目的を達成するために提案されたものであり、地盤掘削時に施工される土留め壁の表面にグラウンドアンカーの頭部を突出させるとともに、グラウンドアンカー頭部の上方及び下方の土留め壁表面に腹起こしを取り付け、この腹起こし部分に前記グラウンドアンカー頭部を定着するために設けられた定着台座に於いて、前記上下の腹起こし間に定着台座の左右の側面板を固設するとともに、該左右の側面板間であって且つ前記腹起こしの内側位置である腹起こしの外表面をなす外側フランジより土留め壁側位置に支圧板を架設し、グラウンドアンカー頭部を左右の側面板間へ遊挿して前記支圧板に定着金具を介在させて定着させるように構成したことを特徴とする土留め用グラウンドアンカーの定着台座を提供するものである。
【０００７】
【発明の実施の形態】
以下、本発明の実施の形態を図１及び図２に従って詳述する。尚、説明の都合上、従来と同一構成部分には同一符号を付してその説明を省略する。本発明の定着台座１１は左右の側面板１５，１５と、該左右の側面板１５，１５間に架設された支圧板１６とからなり、左右の側面板１５，１５は上下の腹起こし４，４間に固設されている。また、該側面板１５は僅かに腹起こし４の外側（図２に於いて腹起こしの右側）まで延設されており、側面板の外縁部１５ａが上下の腹起こし４，４の表面に係合している。
【０００８】
一方、前記支圧板１６は腹起こし４の内側位置に架設され、後述するように、グラウンドアンカー頭部３ａの定着部分と余長部分が腹起こし４の外側へ突出しないように形成されている。グラウンドアンカー３の先端部は地盤へ固定してあり、グラウンドアンカー頭部３ａが左右の側面板１５，１５間へ遊挿されて、支圧板１６に開穿した孔１６ａに挿通される。
【０００９】
そして、グラウンドアンカー３に緊張力を与えた後に、定着金具７にてグラウンドアンカー頭部３ａを支圧板１６に定着する。前述したように、前記支圧板１６は腹起こし４の内側位置に架設されているので、グラウンドアンカー頭部３ａの定着部分が土留め壁２の表面に接近する。
【００１０】
更に、左右の側面板の外縁部１５ａ，１５ａ間に平板状のカバー１８を装着してグラウンドアンカー頭部３ａを保護する。該カバー１８が平板状であるため作業空間を狭める虞がなく、且つ、該カバー１８は軽量で取り付け作業も容易である。
【００１１】
而して、例えばグラウンドアンカー３の緊張力が１００トン程度の場合、従来は定着台座及びカバー等グラウンドアンカー頭部周辺部の突出長さが５５ｃｍ以上になっていたが、本発明では、左右の側面板間であって且つ前記腹起こしの内側位置である腹起こしの外表面をなす外側フランジより土留め壁側位置に支圧板を架設し、グラウンドアンカー頭部を左右の側面板間へ遊挿して前記支圧板に定着金具を介在させて定着させる構成を採用したので、定着台座１１及びカバー１８を含めて腹起こし４からの突出長さが１０ｃｍ程度となり、作業空間を広く確保することができる。また、左右の側面板の外縁部１５ａ，１５ａが腹起こし４，４の表面に係合しているため、前記定着台座１１はグラウンドアンカー３の緊張力を十分に支持できる。
【００１２】
尚、本発明は、本発明の精神を逸脱しない限り種々の改変を為すことができ、そして、本発明が該改変されたものに及ぶことは当然である。
【００１３】
【発明の効果】
以上説明したように、本発明は土留め用グラウンドアンカーを施工する際、
上下の腹起こし間に定着台座の左右の側面板を固設するとともに、該左右の側面板間であって且つ前記腹起こしの内側位置である腹起こしの外表面をなす外側フランジより土留め壁側位置に支圧板を架設し、グラウンドアンカー頭部を左右の側面板間へ遊挿して前記支圧板に定着金具を介在させて定着させるように構成し、定着台座を上下の腹起こし間に収納したことにより、定着台座をはじめとするグラウンドアンカー頭部の突出量を小さく抑えることができる。従って、地盤掘削時に於ける作業空間を広く確保することができ、施工性が向上するとともにグラウンドアンカー定着部分の景観も良好となる。
【図面の簡単な説明】
【図１】本発明の実施の形態を示す正面図。
【図２】図１のＡ−Ａ線断面図。
【図３】従来技術を示す正面図。
【図４】図３のＢ−Ｂ線断面図。
【符号の説明】
２        土留め壁
３        グラウンドアンカー
４        腹起こし
１１        定着台座
１５        側面板
１６        支圧板
【図１】
0003792392.tif 000002
【図２】
0003792392.tif 000003
【図３】
0003792392.tif 000004
【図４】
0003792392.tif 000005